【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
物品をコーティングする方法であって、結晶性が低いかまたは非晶質のフッ素樹脂とそのフッ素樹脂の溶媒との混合物中に溶解または分散させたサブミクロンの結晶質フルオロポリマー粒子を含有するフルオロポリマーコーティング組成物を物品に適用するステップ、その適用された層を固化または硬化するステップ、及び前記固化または硬化させた層をラビングし、バフィングし、ポリッシングし、またはその他の方法で外乱させて、サブミクロンの結晶質フルオロポリマー粒子を含有する結晶性が低いかまたは非晶質のフッ素樹脂結合剤層上に連続またはほぼ連続フルオロポリマー表面薄層を形成するステップを含む、方法。
【請求項２】
物品をコーティングする方法であって、結晶性が低いかまたは非晶質のフッ素樹脂とそのフッ素樹脂の溶媒との混合物中に溶解または分散させた約５０〜約４００ｎｍの範囲の粒径を有する結晶質フルオロポリマー粒子を含むフルオロポリマーコーティング組成物を物品に適用するステップ、及びその適用された層を固化または硬化して物品上に透明で、曇りのない硬化コーティングを形成するステップを含む、方法。
【手続補正２】
【補正対象書類名】明細書
【補正対象項目名】発明の名称
【補正方法】変更
【補正の内容】
【発明の名称】フルオロポリマーナノ粒子コーティング組成物を用いる物品のコーティング方法
【手続補正３】
【補正対象書類名】明細書
【補正対象項目名】０００１
【補正方法】変更
【補正の内容】
【０００１】
本発明は、フルオロポリマーナノ粒子コーティング組成物を用いる物品のコーティング方法に関する。
【手続補正４】
【補正対象書類名】明細書
【補正対象項目名】００６４
【補正方法】変更
【補正の内容】
【００６４】
本開示の例示的実施形態を記述し、本開示の範囲内の考えられる変形に言及してきた。本開示の範囲から逸脱することなく、開示における上記その他の変形および変更は、当業者に明らかであろう。本開示は、本明細書に記載されている例示的実施形態に限定されないと理解されたい。したがって、本発明は、冒頭に記載する特許請求の範囲によってしか限定されないものである。
以下に、本願発明に関連する発明について、その実施形態を列挙する。
［実施形態１］
フルオロポリマーコーティング組成物の作製方法であって、
サブミクロンの結晶質フルオロポリマー粒子を含有するラテックスを、結晶性が低いまたは非晶質のフッ素樹脂粒子を含有するラテックスとブレンドするステップと、
前記ブレンドされたラテックスを凝固し、乾燥するステップと、
前記乾燥したブレンドを前記フッ素樹脂粒子用の溶媒に溶解するステップとを含む方法。
［実施形態２］
前記ラテックスを冷却することによって凝固するステップを含む、実施形態１に記載の方法。
［実施形態３］
前記コーティング組成物層を支持体に塗布するステップと、
前記塗布層を固化または硬化するステップとをさらに含む、実施形態１に記載の方法。
［実施形態４］
前記固化または硬化させた層をラビングし、バフィングし、ポリッシングし、またはその他の方法で外乱させて、サブミクロンの結晶質フルオロポリマー粒子を含有する結晶性の低いまたは非晶質のフッ素樹脂結合剤層上に連続またはほぼ連続フルオロポリマー表面薄層を形成するステップをさらに含む、実施形態３に記載の方法。
［実施形態５］
フルオロポリマーコーティング組成物の作製方法であって、
結晶質の乾燥サブミクロンフルオロポリマー粒子を、ａ）結晶性の低いまたは非晶質の乾燥フッ素樹脂粒子およびフッ素樹脂粒子用の溶媒、またはｂ）結晶性の低いまたは非晶質のフッ素樹脂の溶媒希釈型溶液とブレンドし、それによって前記フッ素樹脂粒子の溶媒希釈型溶液中、前記フルオロポリマー粒子の準均質分散液を含むコーティング組成物を形成するステップを含む方法。
［実施形態６］
フルオロポリマーコーティング組成物であって、
結晶性の低いまたは非晶質のフッ素樹脂の溶媒希釈型溶液に分散されたサブミクロンの結晶質フルオロポリマー粒子の均質貯蔵安定な混合物を含む組成物。
［実施形態７］
前記フルオロポリマー粒子がパーフルオロポリマー粒子を含む、実施形態６に記載の組成物。
［実施形態８］
前記フルオロポリマー粒子が、テトラフルオロエチレンのホモポリマー、テトラフルオロエチレンとパーフルオロ（プロポキシビニルエーテル）のポリマー、またはテトラフルオロエチレンとヘキサフルオロプロピレンのポリマーを含む、実施形態６に記載の組成物。
［実施形態９］
前記フルオロポリマー粒子の平均粒径が約５０〜約２００ｎｍである、実施形態６に記載の組成物。
［実施形態１０］
前記フッ素樹脂がフルオロ熱可塑性材料を含む、実施形態６に記載の組成物。
［実施形態１１］
前記フッ素樹脂が、ポリフッ化ビニリデン、テトラフルオロエチレンとヘキサフルオロプロピレンとフッ化ビニリデンのポリマー、テトラフルオロエチレンとフッ化ビニリデンのポリマー、またはテトラフルオロエチレンとヘキサフルオロプロピレンのポリマーを含む、実施形態６に記載の組成物。
［実施形態１２］
前記溶媒が、ケトン、エーテル、エステル、または環状エステルを含む、実施形態６に記載の組成物。
［実施形態１３］
溶媒を除いて、約５〜約６０重量パーセントのフルオロポリマー固形分、および約９５〜約４０重量パーセントのフッ素樹脂固形分を含む、実施形態６に記載の組成物。
［実施形態１４］
シール容器に室温で少なくとも１週間貯蔵したとき均質なままであるほど貯蔵安定である、実施形態６に記載の組成物。
［実施形態１５］
シール容器に室温で少なくとも１か月貯蔵したとき均質なままである、実施形態１４に記載の組成物。
［実施形態１６］
水、またはフッ素樹脂を単独では溶解することができない有機液体を１０重量％未満含む、実施形態６に記載の組成物。
［実施形態１７］
支持体に塗布し、硬化すると、透明な曇りのないコーティングを形成する、実施形態６に記載の組成物。
［実施形態１８］
固化または硬化した後、透明なオプティカルコーティングが提供されるように顔料または他の乳白剤を含まない、実施形態６に記載の組成物。
［実施形態１９］
フルオロポリマーコーティング組成物であって、
結晶性の低いまたは非晶質のフッ素樹脂の溶媒希釈型溶液に分散されたサブミクロンの結晶質フルオロポリマー粒子の準均質な混合物を含む組成物。
［実施形態２０］
接着促進剤をさらに含む、実施形態６に記載の組成物。
［実施形態２１］
前記接着促進剤がアミノシランを含む、実施形態２０に記載の組成物。
［実施形態２２］
架橋剤をさらに含む、実施形態６に記載の組成物。
［実施形態２３］
前記組成物が、ヘキサフルオロプロピレンオキサイドのマルチ（メタ）アクリレートまたはモノ（メタ）アクリレート誘導体を含む、実施形態２２に記載の組成物。
［実施形態２４］
物品であって、
支持体の上に、サブミクロンの結晶質フルオロポリマー粒子を含有する結晶性の低いまたは非晶質のフッ素樹脂結合剤層とさらに、その上に連続またはほぼ連続した固化または硬化フルオロポリマー薄層を含む物品。
［実施形態２５］
前記フルオロポリマー層が連続性である、実施形態２４に記載の物品。
［実施形態２６］
前記フルオロポリマー層が、前記フルオロポリマー粒子のサイズおよび量によって決まるマイクロメートルまたはナノメートルのスケールの厚さ寸法を有する、実施形態２４に記載の物品。
［実施形態２７］
前記フルオロポリマー層が、低摩擦表面、疎水性表面、親油性表面、または光管理構造を提供する、実施形態２４に記載の物品。
［実施形態２８］
前記光管理構造が反射防止性である、実施形態２７に記載の物品。
［実施形態２９］
前記フルオロポリマー層およびフッ素樹脂結合剤層が、顔料および乳白剤を実質的に含まず、透明なコーティングを提供する、実施形態２４に記載の物品。
［実施形態３０］
前記フルオロポリマー層およびフッ素樹脂結合剤層が、損傷を受けやすい表示ビューイング表面の少なくとも一部分を覆う、実施形態２４に記載の物品。